(57)【要約】【課題】パッケージの収容部を開封する作業が簡単且つ容易に行え、収容部に収容された物品を即取り出すことができるパッケージを提供する。【解決手段】パッケージ１の下部１ｂを一方の手で把持した後、パッケージ１の上部１ａを他方の手で把持して前方へ折り曲げ、台紙２をミシン目２ａに沿って上下に分離する。ミシン目２ａに続いて、収容部４の各引裂き罫線４ａ，４ａを各リブ４ｂ，４ｂの頂部に沿って各切れ目４ｃ，４ｃから一挙に引き裂く。パッケージ１の上部１ａを前方へ折り曲げる際に、収容部４前面に形成した折曲げ溝４ｄが変形するため、収容部４を折曲げ溝４ｄに沿って前方へ簡単且つ容易に折り曲げることができる。これにより、パッケージ１の収容部４を、１パック分の電池群ＢＢの取り出しが許容される大きさ及び形状に開封することができる。【選択図】図１
2009018847.tif 000002
【特許請求の範囲】
【請求項１】
台紙の前面に透明なカバーを接着し、該台紙とカバーとの間に形成された収容部に物品を収容したパッケージであって、
前記収容部と対応する前記台紙の後面に、該台紙の一端側から他端側に向けてミシン目を形成し、
前記ミシン目の両端と対応する前記収容部の外面に、該収容部の後端側から前端側に向けて引き裂くことができる２本の各引裂き罫線を平行して形成したことを特徴とする
パッケージ。
【請求項２】
前記ミシン目を、前記台紙の後面に沿って幅方向又は縦方向に形成したことを特徴とする
請求項１に記載のパッケージ。
【請求項３】
前記ミシン目と対向する前記収容部の前面に、該収容部の前面を凹状に窪ませてなる折曲げ溝を幅方向又は縦方向に形成したことを特徴とする
請求項１又は２に記載のパッケージ。
【請求項４】
台紙の前面に透明なカバーを接着し、該台紙とカバーとの間に形成された収容部に物品を収容したパッケージであって、
前記収容部の前面に、該収容部の一端側から他端側に向けてミシン目を形成し、
前記ミシン目の両端と対応する前記収容部の外面に、該収容部の前端側から後端側に向けて引き裂くことができる２本の各引裂き罫線を平行して形成したことを特徴とする
パッケージ。
【請求項５】
前記ミシン目を、前記収容部の前面に沿って幅方向に形成したことを特徴とする
請求項４に記載のパッケージ。
【請求項６】
前記ミシン目と対向する前記台紙の後面に、該台紙の後面を凹状に窪ませてなる折曲げ溝を幅方向に形成したことを特徴とする
請求項４又は５に記載のパッケージ。
【請求項７】
前記ミシン目の両端と対応する前記各引裂き罫線の引き裂き始端部に、該引裂き罫線が引き裂かれる方向に向けて切れ目を形成したことを特徴とする
請求項１〜６のいずれか一つに記載のパッケージ。
【請求項８】
前記各引裂き罫線を、前記収容部の外面を外側に向けて突出してなるリブの頂部に沿って形成したことを特徴とする
請求項１〜７のいずれか一つに記載のパッケージ。
【請求項９】
前記各引裂き罫線の引き裂き始端部と対応する前記台紙及びカバーの対向縁部に、該各引裂き罫線の引き裂き始端部に達する一対の各切欠き部を形成したことを特徴とする
請求項１〜８のいずれか一つに記載のパッケージ。
【発明の詳細な説明】
【技術分野】
【０００１】
この発明は、例えば電池、化粧品、文具、玩具、お菓子等の物品を包装するために用いられるパッケージに関する。
【背景技術】
【０００２】
従来、前述のパッケージとしては、例えば予め物品の向きを揃えて並べた複数の物品をシュリンクパックして包装部を形成し、該包装部を台紙と保持体の間で収容・保持する特許文献１の商品パッケージがある。
【０００３】
【特許文献１】特許第３００４９１３号公報
【発明の開示】
【発明が解決しようとする課題】
【０００４】
しかし、前記商品パッケージを開封する場合、台紙の開封部をミシン目に沿って分離することにより、電池が収容された収容部を開封することができるが、開封部をミシン目に沿って真っ直ぐに分離することが難しく、開封部の引っ張り具合によって、開封部が斜めに分離されるか、途中で千切れてしまうことがある。残りの開封部により電池の取り出しが妨げられるような場合、残りの開封部を取り除く作業に手間が掛かるだけでなく、パッケージに収容された電池を即取り出して使用することができない。また、パッケージと開封部とに分離されてしまうため、廃棄物の取り扱いにも手間が掛かる。
【０００５】
また、商品パッケージの他の開封方法として、収容部の後面側に接着された台紙を引き剥がして、電池が収容された収容部を開封する方法もあるが、台紙を引き剥がす際に、台紙が斜めに引き剥がされるか、途中で千切れる等して、開封ミスが生じやすい。
【０００６】
この発明は前記問題に鑑み、パッケージの収容部を開封する作業が簡単且つ容易に行え、該収容部に収容された物品を即取り出すことができるパッケージの提供を目的とする。
【課題を解決するための手段】
【０００７】
請求項１に記載した発明のパッケージは、台紙の前面に透明なカバーを接着し、該台紙とカバーとの間に形成された収容部に物品を収容したパッケージであって、前記収容部と対応する前記台紙の後面に、該台紙の一端側から他端側に向けてミシン目を形成し、前記ミシン目の両端と対応する前記収容部の外面に、該収容部の後端側から前端側に向けて引き裂くことができる２本の各引裂き罫線を平行して形成したことを特徴とする。
【０００８】
この発明によると、台紙のミシン目よりも一端側に寄ったパッケージの一部を例えば一方の手で把持した後、台紙のミシン目よりも他端側に寄ったパッケージの他の部分を例えば他方の手で把持して前方へ折り曲げることにより、台紙がミシン目に沿って分離される。また、ミシン目に続いて収容部に形成された各引裂き罫線が後端側から前端側に向けて一挙に引き引き裂かれるので、パッケージの収容部を、物品の取り出しが許容される大きさ及び形状に簡単且つ容易に開封することができる。
【０００９】
前記物品は、例えば電池、化粧品、文具、玩具、お菓子、部品等の物品で構成することができる。また、台紙とカバーは、実施例においてとうもろこし等の植物からなる生分解性プラスチックで構成しているが、例えば生分解性プラスチック以外のプラスチック、紙等の材質で構成してもよい。また、台紙の表面と裏面には、例えば商品名、製造者名、使用期限、賞味期限、成分、使用上の注意等の商品に関する表示内容が記載されている。なお、収容部に収容された物品を外部から視認することが可能であれば、カバーを、所望する色彩に着色された半透明のプラスチックで構成するか、商品に関する表示内容を収容部外面に記載してもよい。また、収容部の外面は、実施例における収容部の両側面、上下面と対応する。
【００１０】
請求項２に記載した発明のパッケージは、前記請求項１に記載の構成と併せて、前記ミシン目を、前記台紙の後面に沿って幅方向又は縦方向に形成したことを特徴とする。
【００１１】
この発明によると、ミシン目を幅方向に形成した場合、台紙のミシン目よりも一端側に寄ったパッケージの下部を把持した後、ミシン目よりも他端側に寄ったパッケージの上部を把持して前方へ折り曲げることにより、台紙をミシン目に沿って上下に分離することができる。また、ミシン目を縦方向に形成した場合、台紙のミシン目よりも一端側に寄ったパッケージの一側部を把持した後、ミシン目よりも他端側に寄ったパッケージの他側部を把持して前方へ折り曲げることにより、台紙をミシン目に沿って左右に分離することができる。
【００１２】
請求項３に記載した発明のパッケージは、前記請求項１又は２に記載の構成と併せて、前記ミシン目と対向する前記収容部の前面に、該収容部の前面を凹状に窪ませてなる折曲げ溝を幅方向又は縦方向に形成したことを特徴とする。
【００１３】
この発明によると、パッケージを前方へ折り曲げる際に、収容部前面に形成した折曲げ溝が変形するため、折り曲げ時に付与される抵抗が小さく、収容部の肉厚が厚くても、折曲げ溝に沿って前方へ簡単且つ容易に折り曲げることができる。
【００１４】
請求項４に記載した発明のパッケージは、台紙の前面に透明なカバーを接着し、該台紙とカバーとの間に形成された収容部に物品を収容したパッケージであって、前記収容部の前面に、該収容部の一端側から他端側に向けてミシン目を形成し、前記ミシン目の両端と対応する前記収容部の外面に、該収容部の前端側から後端側に向けて引き裂くことができる２本の各引裂き罫線を平行して形成したことを特徴とする。
【００１５】
この発明によると、ミシン目よりも一端側に寄ったパッケージの一側部を例えば一方の手で把持した後、ミシン目よりも他端側に寄ったパッケージの他側部を例えば他方の手で把持して後方へ折り曲げることにより、収容部前面がミシン目に沿って分離される。また、ミシン目に続いて収容部に形成された各引裂き罫線が後端側から前端側に向けて一挙に引き裂かれるので、パッケージの収容部を、物品の取り出しが許容される大きさ及び形状に簡単且つ容易に開封することができる。
【００１６】
請求項５に記載した発明のパッケージは、前記請求項４に記載の構成と併せて、前記ミシン目を、前記収容部の前面に沿って幅方向に形成したことを特徴とする。
【００１７】
この発明によると、収容部のミシン目よりも下方であるパッケージの下部を把持した後、ミシン目よりも上方であるパッケージの上部を把持して後方へ折り曲げることにより、収容部前面をミシン目に沿って上下に分離することができる。
【００１８】
請求項６に記載した発明のパッケージは、前記請求項４又は５に記載の構成と併せて、前記ミシン目と対向する前記台紙の後面に、該台紙の後面を凹状に窪ませてなる折曲げ溝を幅方向に形成したことを特徴とする。
【００１９】
この発明によると、パッケージを後方へ折り曲げる際に、台紙後面に形成した折曲げ溝が変形するため、後方へ折り曲げる際に付与される抵抗が小さく、台紙の肉厚が厚くても、折曲げ溝に沿って後方へ簡単且つ容易に折り曲げることができる。なお、請求項４又は５に記載の折曲げ溝を、例えば２本、３本等の複数本に変更してもよい。
【００２０】
請求項７に記載した発明のパッケージは、前記請求項１〜６のいずれか一つに記載の構成と併せて、前記ミシン目の両端と対応する前記各引裂き罫線の引き裂き始端部に、該引裂き罫線が引き裂かれる方向に向けて切れ目を形成したことを特徴とする。
【００２１】
この発明によると、パッケージを折り曲げる際に、収容部の両側面に形成された各引裂き罫線を、各引裂き罫線の引き裂き始端部に形成された各切れ目から引き裂き方向に向けて一挙に引き裂くことができる。
【００２２】
請求項８に記載した発明のパッケージは、前記請求項１〜７のいずれか一つに記載の構成と併せて、前記各引裂き罫線を、前記収容部の外面を外側に向けて突出してなる各リブの頂部に沿って形成したことを特徴とする。
【００２３】
この発明によると、パッケージの収容部に形成された各引裂き罫線を、各リブの頂部に沿って真っ直ぐに引き裂くことができる。
【００２４】
請求項９に記載した発明のパッケージは、前記請求項１〜８のいずれか一つに記載の構成と併せて、前記各引裂き罫線の引き裂き始端部と対応する前記台紙及びカバーの対向縁部に、該各引裂き罫線の引き裂き始端部に達する一対の各切欠き部を形成したことを特徴とする。
【００２５】
この発明によると、ミシン目を分離する際に、収容部に形成された各引裂き罫線の引き裂き始端部に対して引き裂き力が集中して付加されるので、各引裂き罫線をミシン目に続いて引き裂くことができる。
【発明の効果】
【００２６】
この発明によれば、パッケージをミシン目が形成された面に対して逆の方向へ折り曲げるだけで、パッケージの収容部を、物品の取り出しが許容される大きさ及び形状に簡単且つ容易に開封することができ、収容部に収容された物品を即取り出すことができる。
【発明を実施するための最良の形態】
【００２７】
この発明は、パッケージの収容部を開封する作業が簡単且つ容易に行えという目的を、収容部の前面又は台紙の後面にミシン目を幅方向に形成し、該収容部の両側面に２本の各引裂き罫線を平行して形成することで達成した。
【実施例】
【００２８】
この発明の一実施例を以下図面に基づいて詳述する。  
図面は、物品の一例である４個の単３電池を透明なフィルムによりシュリンク包装して収容したパッケージを示している。図１〜図４に於いて、このパッケージ１は、シート状に形成された台紙２の前面に、台紙２全面が覆われる大きさ及び形状に形成された透明なカバー３を接着し、台紙２とカバー３との間に形成された収容部４に、透明なフィルムによりシュリンク包装された４本の単３電池Ｂ…からなる１パック分の電池群ＢＢを収容している。
【００２９】
台紙２の前面側周縁部には、カバー３の周縁部に形成された鍔部３ａを図示しない感熱感圧性の接着剤により接着している。なお、台紙２及びカバー３は、透光性を有する生分解性プラスチックで形成している。また、カバー３を、１パック分の電池群ＢＢが覆われる大きさ及び形状に形成してもよい。
【００３０】
台紙２の表面と裏面には、例えば商品名、製造者名、使用期限、賞味期限、成分、使用上の注意等の商品に関する表示内容を記載している。また、収容部４に収容された電池群ＢＢを外部から視認することが可能であれば、カバー３を、所望する色彩に着色された半透明のプラスチックで構成するか、商品に関する表示内容を収容部４外面に記載する等してもよい。
【００３１】
収容部４と対応する台紙２の後面には、収容部４に収容された下から３段目の電池Ｂと、４段目の電池Ｂとの間と対向して、台紙２の一側縁部から他側縁部に向けてミシン目２ａを幅方向に形成している（図３参照）。また、ミシン目２ａの位置を、収容部４に収容された下から２段目の電池Ｂと、３段目の電池Ｂとの間と対向する位置に形成する等して変更してもよい。
【００３２】
台紙２のミシン目２ａ両端と対応する収容部４の両側面には、収容部４の後端側から前端側に向けて引き裂くことができる２本の各引裂き罫線４ａ，４ａを平行して形成している。また、各引裂き罫線４ａ，４ａは、収容部４の両側外面を外側に向けて突出してなる各リブ４ｂ，４ｂの頂部に沿って形成している（図１、図２参照）。なお、引裂き罫線４ａの肉厚は、手作業により引き裂きが許容される厚みに形成している。
【００３３】
ミシン目２ａの両端と対応する各引裂き罫線４ａ，４ａの引き裂き始端部には、各引裂き罫線４ａ，４ａが引き裂かれる方向に向けて各切れ目４ｃ，４ｃを形成している（図１、図４参照）。
【００３４】
台紙２のミシン目２ａと対向する収容部４の前面には、収容部４の前面を凹状に窪ませてなる１本の折曲げ溝４ｄを幅方向に形成している。折曲げ溝４ｄは、収容部４に収容された上から１段目の電池Ｂと、２段目の電池Ｂとの間と対向する位置に形成している（図４参照）。つまり、カバー３の収容部４上端から折曲げ溝４ｄに至るまでの寸法を、収容部４の突出寸法と略同一か近い寸法（１個分の電池Ｂの外径と対応する寸法）に設定しているので、パッケージ１の上部１ａを、収容部４の折曲げ溝４ｄを中心として前方へ回動すれば、収容部４の上部が開封され、収容部４に収容された電池群ＢＢが突出される。
【００３５】
各引裂き罫線４ａ，４ａの引き裂き始端部と対応する台紙２及びカバー３の両側対向縁部には、各引裂き罫線４ａ，４ａの引き裂き始端部に達する一対の各切欠き部５，５を形成している。
【００３６】
台紙２及びカバー３の上部には、例えばフック、突起等に吊り下げるための吊下げ孔６を厚み方向に貫通して形成している。
【００３７】
収容部４は、カバー３の下部前面を前方に向けて凸状に突出するとともに、１パック分の電池群ＢＢの収容が許容される大きさ及び形状に形成している。また、収容部４の下面には、パッケージ１を起立した状態に支持するための一対の各脚部４ｅ，４ｅを所定間隔に隔てて形成している。また、各脚部４ｅ，４ｅの底面は、台紙２の下縁部とほぼ一致する高さに形成している。つまり、各脚部４ｅ，４ｅの底面と台紙２の下縁部とを接地することにより、１パック分の電池群ＢＢが収容されたパッケージ１を垂直に起立した状態に陳列することができる。
【００３８】
実施例では、カバー３の収容部４に、４本の電池Ｂ…を互いに平行して横向き姿勢に揃えてシュリンク包装してなる１パック分の電池群ＢＢを収容しているが、２本の電池Ｂ…を横向き姿勢に揃えてシュリンク包装してなる電池群ＢＢを収容するか、２本又は４本の電池Ｂ…を縦向き姿勢に揃えてシュリンク包装してなる電池群ＢＢを収容してもよい。なお、単１形〜単５形の円筒形を有する電池以外に、例えばコイン形、ボタン形、パック形、９Ｖ形、ガム形、ピン形等の電池を包装する際にも用いることができる。
【００３９】
また、パッケージ１は、実施例において、生分解性プラスチックで形成された厚さ０．１５ｍｍの台紙２と、厚さ０．３ｍｍのカバー３とで構成しているが、台紙２及びカバー３の厚みを用途及び目的に応じて変更してもよい。
【００４０】
図示実施例は前記の如く構成するものにして、以下、１パック分の電池群ＢＢが収容されたパッケージ１の開封方法を説明する。
【００４１】
先ず、台紙２のミシン目２ａよりも下方であるパッケージ１の下部１ｂを一方の手で把持した後、台紙２のミシン目２ａよりも上方であるパッケージ１の上部１ａを他方の手で把持して前方へ折り曲げることにより、台紙２がミシン目２ａに沿って上下に分離される（図５参照）。
【００４２】
さらに、パッケージ１の上部１ａを前方へ折り曲げると、収容部４の両側面に形成した各引裂き罫線４ａ，４ａの引き裂き始端部に対して引き裂き力が集中して付加されるので、ミシン目２ａに続いて、各引裂き罫線４ａ，４ａが各リブ４ｂ，４ｂの頂部に沿って真っ直ぐに、各引裂き罫線４ａ，４ａの引き裂き始端部に形成した各切れ目４ｃ，４ｃから引き裂き方向に向けて一挙に引き裂かれる（図６参照）。
【００４３】
また、パッケージ１の上部１ａを前方へ折り曲げる際に、収容部４前面の折曲げ溝４ｄが変形するため、折り曲げ時に付与される抵抗が小さく、収容部４を折曲げ溝４ｄに沿って前方へ簡単且つ容易に折り曲げることができる。これにより、パッケージ１の収容部４上部を、１パック分の電池群ＢＢの取り出しが許容される大きさ及び形状に開封することができる（図７参照）。
【００４４】
また、１個又は２個の電池Ｂが必要で、残り電池Ｂ…が不要な場合、残りの電池Ｂ…を収容部４に収容しておけば、不要な電池Ｂ…を保管するためにも用いることができる。
【００４５】
以上のように、パッケージ１の上部１ａと下部１ｂとを、ミシン目２ａが形成された台紙２後面に対して逆の方向へ折り曲げるだけで、パッケージ１の収容部４を、１パック分の電池群ＢＢの取り出しが許容される大きさ及び形状に簡単且つ容易に開封することができ、収容部４に収容された所望数の電池Ｂ…を即取り出して使用することができる。
【００４６】
図８、図９は、カバー３の収容部４と対応する台紙２の後面に折曲げ溝２ｂを幅方向に形成し、折曲げ溝２ｂと対向する収容部４の前面にミシン目４ｆを幅方向に形成したパッケージ１の他の例を示している。このパッケージ１を開封する場合、パッケージ１の下部１ｂを一方の手で把持した後、パッケージ１の上部１ａを他方の手で把持して後方へ折り曲げることにより、収容部４前面がミシン目４ｆに沿って上下に分離される。
【００４７】
さらに、パッケージ１の上部１ａを後方へ折り曲げると、ミシン目２ａに続いて、収容部４の両側面に形成した各引裂き罫線４ａ，４ａが各リブ４ｂ，４ｂの頂部に沿って、各引裂き罫線４ａ，４ａの引き裂き始端部に形成した各切れ目４ｃ，４ｃから引き裂き方向に向けて一挙に引き裂かれる。
【００４８】
また、パッケージ１の上部１ａを後方へ折り曲げる際に、台紙２後面の折曲げ溝２ｂが変形するため、折り曲げ時に付与される抵抗が小さく、台紙２を折曲げ溝２ｂに沿って後方へ折り曲げることができる。図１０に示すように、パッケージ１の収容部４上部が、１パック分の電池群ＢＢの取り出しが許容される大きさ及び形状に開封されるので、前記実施例と同等の作用及び効果を奏することができる。
【００４９】
なお、台紙２の肉厚が薄く、折り曲げ時に付与される抵抗が小さければ、折曲げ溝４ｄを形成する必要がない。また、折曲げ溝２ｂを台紙２後面に対して縦方向に形成し、ミシン目４ｆを収容部４前面に対して縦方向に形成して、パッケージ１の収容部４を左右方向へ開封可能に設けてもよい。
【００５０】
図１１、図１２、図１３は、カバー３の収容部４と対応する台紙２の背面から見て左側後面の上側縁部から下側縁部に向けてミシン目２ａを縦方向に形成し、ミシン目２ａの上下両端と対応する収容部４の上下面に、該収容部４の後端側から前端側に向けて引き裂くことができる２本の各引裂き罫線４ａ，４ａを平行して形成したパッケージ１のその他の例を示している。なお、上面側の引裂き罫線４ａの引き裂き始端部は、正面から見て台紙２及びカバー３の中央右側縁部を幅方向へ切り欠いてなる切欠き部分に形成している。
【００５１】
このパッケージ１を開封する場合、正面から見て台紙２のミシン目２ａよりも右側へ寄ったパッケージ１の一側部１ｃを一方の手で把持した後、台紙２のミシン目２ａよりも左側へ寄ったパッケージ１の他側部１ｄを他方の手で把持して前方へ折り曲げることにより、台紙２の背面から見てミシン目２ａに沿って左右に分離される。
【００５２】
さらに、パッケージ１の一側部１ｃを前方へ折り曲げると、ミシン目２ａに続いて、収容部４の上下面に形成した各引裂き罫線４ａ，４ａが各リブ４ｂ，４ｂの頂部に沿って、各引裂き罫線４ａ，４ａの引き裂き始端部に形成した各切れ目４ｃ，４ｃから引き裂き方向に向けて一挙に引き裂かれる。
【００５３】
また、パッケージ１の一側部１ｃを前方へ折り曲げる際に、正面から見て収容部４の右側前面を凹状に窪ませて縦方向に形成した折曲げ溝４ｄが変形するため、収容部４を折曲げ溝４ｄに沿って前方へ容易に折り曲げることができる。図１３２に示すように、パッケージ１の収容部４側部が１パック分の電池群ＢＢの取り出しが許容される大きさ及び形状に開封されるので、前記実施例と同等の作用及び効果を奏することができる。
【００５４】
なお、前記収容部４の一側部１ｃを開封する右開き構造は、収容部４の他側部１ｄを開封する左開き構造にも適用することができる。また、収容部４の一側部１ｃ及び他側部１ｄの左右両方を開封可能に設けてもよい。或いは、他の例のように、背面から見て台紙２の左側後面に対して縦方向に折曲げ溝を形成し、正面から見て収容部４の右側前面に対して縦方向にミシン目を形成して、パッケージ１の収容部４側部を後方へ開封可能に設けてもよい。
【００５５】
この発明の構成と、前記実施例との対応において、  
この発明の物品は、実施例の電池Ｂ及び電池群ＢＢに対応するも、  
この発明は、前記実施例の構成のみに限定されるものではなく、請求項に示される技術思想に基づいて応用することができ、多くの実施の形態を得ることができる。
【産業上の利用可能性】
【００５６】
本発明のパッケージは、実施例の電池以外に、例えば化粧品、文具、玩具、お菓子、部品等の包装にも適用することができる。
【図面の簡単な説明】
【００５７】
【図１】１パック分の電池が収容されたパッケージを示す斜視図。
【図２】電池が収容されたパッケージを示す正面図。
【図３】台紙後面に付設されたミシン目を示す背面図。
【図４】パッケージの包装構造を示す縦断側面図。
【図５】パッケージの開封直前の状態を示す斜視図。
【図６】パッケージの開封途中の状態を示す斜視図。
【図７】パッケージの開封直後の状態を示す斜視図。
【図８】収容部前面にミシン目を付設したパッケージの他の例を示す斜視図。
【図９】図８の台紙に折曲げ溝を付設した状態を示す背面図。
【図１０】図８のパッケージの開封動作を示す斜視図。
【図１１】収容部の一側部を開封するパッケージのその他の例を示す正面図。
【図１２】図１１の台紙の一側後面にミシン目を付設した状態を示す背面図。
【図１３】図１１の収容部の一側部を開封した状態を示す斜視図。
【符号の説明】
【００５８】
Ｂ…電池
ＢＢ…電池群
１…パッケージ
２…台紙
２ａ…ミシン目
２ｂ…折曲げ溝
３…カバー
４…収容部
４ａ…引裂き罫線
４ｂ…リブ
４ｃ…切れ目
４ｄ…折曲げ溝
４ｆ…ミシン目
５…切欠き部
６…吊下げ孔
【図１】
2009018847.tif 000003
【図２】
2009018847.tif 000004
【図３】
2009018847.tif 000005
【図４】
2009018847.tif 000006
【図５】
2009018847.tif 000007
【図６】
2009018847.tif 000008
【図７】
2009018847.tif 000009
【図８】
2009018847.tif 000010
【図９】
2009018847.tif 000011
【図１０】
2009018847.tif 000012
【図１１】
2009018847.tif 000013
【図１２】
2009018847.tif 000014
【図１３】
2009018847.tif 000015